(57)【特許請求の範囲】
【請求項１】
物品の表面に装着された非接触タグのデータを読み取り操作する読取操作部と読み取ったデータを表示する表示画面が備えられた表示部とを有する本体を設け、前記非接触タグのデータの読み取り時に該非接触タグに接近されるアンテナを前記本体に設けた可搬式読取機のアンテナ構造において、前記アンテナは、前記本体に折り畳み可能に設けられ、折り畳まれたときに前記本体の前記表示画面の周りに位置するとともに立ち上げられたときには前記非接触タグの周りに位置するように、ループ状に形成されたことを特徴とする可搬式読取機のアンテナ構造。
【請求項２】
前記アンテナは、可塑性の金属線材で形成されたことを特徴とする請求項１に記載の可搬式読取機のアンテナ構造。
【発明の詳細な説明】
【０００１】
【発明の属する技術分野】
この発明は、可搬式読取機のアンテナ構造に係り、特に物品の表面に装着された非接触タグのデータを確実に読み取り可能とする可搬式読取機のアンテナ構造に関する。
【従来の技術】
【０００２】
物品を保管する場合に、物品を収納する物品箱を準備し、この物品箱の表面には、非接触タグ（非接触カード）を装着しているものがある。この非接触タグは、データ応答部を備え、物品のデータが入力されるとともに、個体データに相当する固有の電磁波（無線周波数）を発振するものである。この非接触タグのデータは、可搬式読取機（ＰＤＡ：ポータブル・デバイス・アタッチメント）によって管理されている。
【０００３】
この可搬式読取機は、物品箱に装着した非接触タグのデータを読み取り操作する読取操作部と読み取ったデータを表示する表示画面が備えられた表示部とを有する本体を設け、非接触タグのデータの読み取り時に該非接触タグに接近されるアンテナを本体に設けて構成されている。
【０００４】
【発明が解決しようとする課題】
ところで、従来、可搬式読取機においては、物品箱に装着した非接触タグの表面に対して、アンテナのアンテナ面が所定の角度以上（例えば４５度以上）を為して配置された場合に、アンテナが非接触タグからの固有の電磁波を受け取ることが難しくなり、よって、非接触タグのデータが読み取りにくくなり、このデータを確実に読み取ることができなくなるという不都合があった。
【０００５】
【課題を解決するための手段】
そこで、この発明は、上述の不都合を除去するために、物品の表面に装着された非接触タグのデータを読み取り操作する読取操作部と読み取ったデータを表示する表示画面が備えられた表示部とを有する本体を設け、前記非接触タグのデータの読み取り時に該非接触タグに接近されるアンテナを前記本体に設けた可搬式読取機のアンテナ構造において、前記アンテナは、前記本体に折り畳み可能に設けられ、折り畳まれたときに前記本体の前記表示画面の周りに位置するとともに立ち上げられたときには前記非接触タグの周りに位置するように、ループ状に形成されたことを特徴とする。
【０００６】
【発明の実施の形態】
この発明は、物品の表面に装着された非接触タグのデータの読み取りの際に、人の手により、アンテナを、立ち上げ、そして、所定の形状に曲げ変形して非接触タグの周りに位置し、非接触タグのデータの読み取り易いアンテナ面を形成し、このアンテナ面を非接触タグのデータの表面に対して角度を為さないように配置することで、非接触タグのデータを確実に読み取らせることができ、また、データの読み取り時に非接触タグが操作者に見えるようにしてそのデータの読み取り作業を容易にさせるとともに、データの読み取り後には、アンテナを、折り畳んで表示画面の周りの位置し、読み取ったデータの表示内容が操作者に容易に見えるようにすることができる。
【０００７】
【実施例】
以下図面に基づいてこの発明の実施例を詳細且つ具体的に説明する。図１〜６は、この発明の第１実施例を示すものである。図１において、２は物品（図示せず）を入れる保管箱、４はこの保管箱２の表面２Ｆに装着された非接触タグ（非接触カード）、６は可搬式読取機（ＰＤＡ：ポータブル・デバイス・アタッチメント）である。保管箱２は、例えば、薬等の物品を入れて保管するものである。非接触タグ４は、この物品のデータが入力されるデータ応答部４Ａを備えている。このデータ応答部４Ａは、可搬式読取機６のアンテナ１０が接近すると、個体データに相当する固有の電磁波（無線周波数）を発振するものである。
【０００８】
可搬式読取機６は、非接触タグ４のデータ応答部４Ａに入力された物品のデータを読み取るものであり、本体８とアンテナ１０とからなる。
【０００９】
本体８は、例えば、四角形状であり、上面に、非接触タグ４のデータを読み取り操作するように、各ボタンやキー等の部品が備えられた読取操作部１２と、この読取操作部１２で読み取ったデータを表示する表示画面１４が備えられた表示部１６とを有している。また、本体８には、図２に示す如く、アンテナ１０に連絡した送受信部１８と、中央処理部（ＣＰＵ）２０と、メモリ２２と、表示部１６に連絡した表示指示部２４とが設けられている。
【００１０】
アンテナ１０は、可塑性の金属線材（例えば、銅線、捻り細線）で、人の手で自在に曲げて変形可能な材質で形成され、本体８の一端側に付設した揺動支持部２６に折り畳み可能に設けられている。この揺動支持部２６は、支持用孔２８にアンテナ１０の基端部位１０Ａ、１０Ａを保持するとともに、人の手によって該基端部位１０Ａ、１０Ａが本体８の上面と平行になるまでアンテナ１０を揺動可能とし、且つ、このアンテナ１０の揺動が停止された時には、アンテナ１０が勝手に揺動してしまわないように保持するものである。
【００１１】
アンテナ１０は、非接触タグ４のデータの読み取り時に、非接触タグ４に接近されるものであり、折り畳まれたときに、本体８の表示画面１４の周りに位置し、該表示画面１４の表示内容が輪内から操作者に見えるようにするとともに、揺動して立ち上げられたときには、本体８の前側に動作して非接触タグ４の周りに位置し、該本体８側から輪内を経て非接触タグ４が操作者に見えるように、所定のループ状（輪状）に形成されている。
【００１２】
次に、この第１実施例の作用を説明する。
【００１３】
非接触タグ４のデータの読み取りの際に、まず、図３、４に示す如く、人の手で、アンテナ１０を前側に基端部位１０Ａ、１０Ａが平行になるまで揺動して立ち上げ、そして、図５に示す如く、人の手でアンテナ１０を所定の形状に変形して直線部位１０Ｂ、１０Ｂを形成し、そして、図６に示す如く、このアンテナ１０の直線部位１０Ｂ、１０Ｂのアンテナ面１０Ｆを、保管箱２に装着した非接触タグ４の表面４Ｆに対して略平行に配置する。このとき、アンテナ１０は、非接触タグ４の周りに位置され、本体８側から輪内を経て非接触タグ４が操作者に見えるようにする。そして、操作者が読取操作部１２を操作すると、非接触タグ４が電磁波を発振することから、可搬式読取機６がアンテナ１０を介して非接触タグ４のデータを読み取る。
【００１４】
そして、このデータの読み取り操作が完了したならば、人の手でアンテナ１０を元の形状に戻し、このアンテナ１０を折り畳むように揺動すると、アンテナ１０は本体８の表示画面１４の周りに位置される。よって、操作者は、アンテナ１０の輪内を経て表示画面１４の表示内容を見ることができる。
【００１５】
この結果、アンテナ１０は、本体８に折り畳み可能に設けられ、折り畳まれたときに本体８の表示画面１４の周りに位置するとともに立ち上げられたときには非接触タグ４の周りに位置するように、ループ状に形成されていることから、非接触タグ４のデータの読み取りの際に、人の手により、アンテナ１０を、立ち上げ、そして、所定の形状に曲げ変形して非接触タグ４の周りに位置し、非接触タグ４のデータの読み取り易いアンテナ面１０Ｆを形成し、このアンテナ面１０Ｆを非接触タグ４のデータの表面４Ｆに対して角度を為さないように配置することで、非接触タグ４のデータを確実に読み取らせることができ、また、データの読み取り時に非接触タグ４が輪内から操作者に見えるようにしてそのデータの読み取り作業を容易にさせるとともに、データの読み取り後には、アンテナを、折り畳んで表示画面の周りの位置し、読み取ったデータの表示内容が輪内から操作者に容易に見えるようにすることができ、また、アンテナ１０を本体８に沿って折り畳んで、全体をコンパクトとし、携帯を簡便にすることができる。
【００１６】
また、アンテナ１０を自在に曲げて変形可能な可塑性の金属線材（例えば、銅線、捻り細線）で形成したことにより、アンテナ１０を所定の形状に容易に変形することができ、アンテナ１０の取り扱いを簡便にすることができる。
【００１７】
図７は、この発明の第２実施例を示すものである。
【００１８】
以下の実施例にあっては、上述の第１実施例と同一機能を果す箇所には同一符号を付して説明する。
【００１９】
この第２実施例の特徴とするところは、以下の点にある。即ち、アンテナ１０は、夫々接続した第１アンテナ材１０−１と第２アンテナ材１０−２とが枢支部材１０２によって連結して構成されている。第１アンテナ材１０−１は、第１実施例に記載のアンテナと同様に形成されている。第２アンテナ材１０−２は、第１アンテナ材１０−１の先端部位に枢支部材１０２によって枢支して連結され、且つ、第１アンテナ材１０−１に電気的に接続して該第１アンテナ材１０−１に対して相対的に揺動可能に設けられるものである。従って、第１アンテナ材１０−１が立ち上げられたときに、さらに、第２アンテナ材１０−２を第１アンテナ材１０−１に対して相対的に揺動することで、アンテナ面１０Ｆを非接触タグ４に対して略平行に配置することができるものであり、このとき、第２アンテナ材１０−２は、操作者に本体８側から非接触タグ４が見えるようにする。また、第１、第２アンテナ１０−１、１０−２は、折り畳みられたときに、枢支部材１０２が読取操作部１２側に位置し、本体８の表示画面１４の周りに位置し、表示画面１４が操作者に見えるようにする。
【００２０】
この第２実施例の構成によれば、アンテナ１０は、第１アンテナ材１０−１と第２アンテナ材１０−２とを相対的に揺動可能に連結したことにより、データの読み取り時に、アンテナ１０を手で曲げて変形する必要がなくなり、その手間を簡略し、データの読み取り作業性を向上することができる。
【００２１】
図８は、この発明の第３実施例を示すものである。
【００２２】
この第３実施例の特徴とするところは、以下の点にある。即ち、本体８に付設した揺動支持部２６には、非接触タグ４の方向に照射する照射部（ランプ）１１２を設けた。また、本体８の上面には、照射部１１２をオン・オフするランプスイッチ１１４を設けた。
【００２３】
この第３実施例の構成によれば、非接触タグ４の読み取り範囲を照射部１１２で照射することができ、データの読み取り箇所を容易に認識させることができる。
【００２４】
図９、１０は、この発明の第４実施例を示すものである。
【００２５】
この第４実施例の特徴とするところは、以下の点にある。即ち、揺動支持部２６には、アンテナ１０を揺動させる揺動機構１２２を設けた。この揺動機構１２２は、揺動支持部２６の一端面に取り付けたツマミ１２４と、揺動支持部２６の内部でこのツマミ１２４と一体的に揺動する駆動側ギヤ１２６と、この駆動側ギヤ１２６に噛み合ってアンテナ１０の基端部位１０Ａ、１０Ａを固定した被動側ギヤ１２８とからなる。
【００２６】
この第４実施例の構成によれば、アンテナ１０の揺動時には、ツマミ１２４を回すことで、アンテナ１０を所定角度まで容易に揺動することができ、その操作を簡便に行うことができる。
【００２７】
【発明の効果】
以上詳細な説明から明らかなようにこの発明によれば、アンテナは、本体に折り畳み可能に設けられ、折り畳まれたときに本体の前記表示画面の周りに位置するとともに立ち上げられたときには非接触タグの周りに位置するように、ループ状に形成されたことにより、非接触タグのデータの読み取りの際に、人の手により、アンテナを、立ち上げ、そして、所定の形状に曲げ変形して非接触タグの周りに位置し、非接触タグのデータの読み取り易いアンテナ面を形成し、このアンテナ面を非接触タグのデータの表面に対して角度を為さないように配置することで、非接触タグのデータを確実に読み取らせることができ、また、データの読み取り時に非接触タグが操作者に見えるようにしてそのデータの読み取り作業を容易にさせるとともに、データの読み取り後には、アンテナを、折り畳んで表示画面の周りの位置し、読み取ったデータの表示内容が操作者に容易に見えるようにし得る。
【図面の簡単な説明】
【図１】   データの読み取り時の可搬式読取機の斜視図である。
【図２】   可搬式読取機と非接触タグとのブロック図である。
【図３】   可搬式読取機の斜視図である。
【図４】   可搬式読取機の側面図である。
【図５】   アンテナを曲げた可搬式読取機の斜視図である。
【図６】   アンテナを曲げて非接触タグに接近した状態の可搬式読取機の側面図である。
【図７】   第２実施例において可搬式読取機の側面図である。
【図８】   第３実施例において可搬式読取機の斜視図である。
【図９】   第４実施例において可搬式読取機の斜視図である。
【図１０】   第４実施例における揺動機構の拡大構成図である。
【符号の説明】
２  物品箱
４  非接触タグ
６  可搬式読取機
８  本体
１０  アンテナ
１２  読取操作部
１４  表示画面
１６  表示部
２６  揺動支持部材
【図１】
0003666593.tif 000002
【図２】
0003666593.tif 000003
【図３】
0003666593.tif 000004
【図４】
0003666593.tif 000005
【図５】
0003666593.tif 000006
【図６】
0003666593.tif 000007
【図７】
0003666593.tif 000008
【図８】
0003666593.tif 000009
【図９】
0003666593.tif 000010
【図１０】
0003666593.tif 000011